(57)【要約】【課題】  サンバイザーとして使用したり、首筋の日焼けをも防止するキャップとして使用する。【解決手段】目庇２１にリング状帯状体２２を一体に設けてなるサンバイザー２と、クラウン本体３１の後半部に日除け垂れ３２を一体に設けてなるクラウン部３と、から構成される。そして、リング状帯状体２２の前半部外面に周方向に間隔をおいて複数個のボタン２４が設けられ、また、クラウン本体３１の前半部に、各ボタン２４にそれぞれ着脱自在な複数個のボタンホール３１ａが設けられ、サンバイザー２に対してクラウン部３をボタン２４およびボタンホール３１ａを介して着脱することができる。【選択図】  図１
0003109597.tif 000002
【実用新案登録請求の範囲】
【請求項１】
目庇にリング状帯状体を一体に設けてなるサンバイザーと、クラウン本体の後半部に日除け垂れを一体に設けてなるクラウン部と、から構成され、リング状帯状体の前半部外面に周方向に間隔をおいて複数個の留め具が設けられ、また、クラウン本体の前半部に、各留め具にそれぞれ着脱自在な複数個の被留め具が設けられ、サンバイザーに対してクラウン部が留め具および被留め具を介して着脱自在であることを特徴とする帽子。
【考案の詳細な説明】
【技術分野】
【０００１】
この考案は、サンバイザーとしても使用可能な帽子に関するものである。
【背景技術】
【０００２】
一般に、屋外でのスポーツなどに際しては、頭部を覆って寒さや暑さから守るため、帽子を着用する。
【０００３】
このような帽子において、帽子本体、サンバイザーおよび環状つばを用意し、帽子本体とサンバイザーを連結してスポーツ帽子として使用したり、帽子本体と環状つばを連結してつば付き帽子として使用することができる考案が提案されている（例えば、特許文献１参照）。
【特許文献１】実用新案登録第３０９７１５５号公報
【考案の開示】
【考案が解決しようとする課題】
【０００４】
ところで、前述した帽子にあっては、頭部を覆うことはできるが、後頭部、特に、首筋を直射日光から保護することはできず、強い日差しを受けて首筋が日焼けする結果、日焼けしない部分との差が際立つという問題があった。また、帽子本体とサンバイザーまたは帽子本体と環状つばをそれぞれ連結する手段としてジッパーを使用しているため、ジッパーが頭髪と絡まるという欠点もあった。
【０００５】
本考案は、このような問題点に鑑みてなされたもので、サンバイザーとして使用することができる他、首筋の日焼けを防止するキャップとしても使用することができる帽子を提供するものである。
【課題を解決するための手段】
【０００６】
本考案は、目庇にリング状帯状体を一体に設けてなるサンバイザーと、クラウン本体の後半部に日除け垂れを一体に設けてなるクラウン部と、から構成され、リング状帯状体の前半部外面に周方向に間隔をおいて複数個の留め具が設けられ、また、クラウン本体の前半部に、各留め具にそれぞれ着脱自在な複数個の被留め具が設けられ、サンバイザーに対してクラウン部が留め具および被留め具を介して着脱自在であることを特徴とするものである。
【０００７】
本考案によれば、サンバイザーのリング状帯状体に設けられた留め具に、クラウン部の被留め具を装着することにより、キャップとして使用することができ、頭部を保護することができる。この場合、クラウン部には、日除け垂れが設けられていることにより、合わせて首筋の日焼けを防止することができるとともに、リング状帯状体の外面側に設けた留め具を利用してクラウン部が取り付けられるため、留め具および被留め具が頭髪と接触することがなく、不快感を覚えることがない。また、留め具および被留め具によってサンバイザーとクラウン部とが連結された状態から、留め具から被留め具を離脱させ、クラウン部をサンバイザーから外すことにより、サンバイザーとしても使用することができる。
【０００８】
本考案において、留め具および被留め具としては、ボタンとボタンホール、スタッドとソケットからなるスナップを挙げることができる。
【考案の効果】
【０００９】
本考案によれば、サンバイザーとして使用することができる他、首筋の日焼けを防止するキャップとしても使用することができる。
【考案を実施するための最良の形態】
【００１０】
以下、本考案の実施の形態を図面に基づいて説明する。
【００１１】
図１には、本考案の帽子１の一実施形態が示されている。
【００１２】
この帽子１は、サンバイザー２と、クラウン部３と、から構成されている。
【００１３】
サンバイザー２は、目庇２１と、該目庇２１と一体に縫製された布製のリング状帯状体２２とからなり、リング状帯状体２２の後端部は、ゴムなどの弾性部材２３を介して連結されて、頭部の大きさに追従できるようになっている。そして、目庇２１は、紫外線の透過を抑制するように、着色プラスチックによって成形された目庇本体２１１の外周縁部に布製の縁取り２１２を設けて形成される。また、リング状帯状体２２は、詳細には図示しないが、帯状の芯材の内外面を布で覆って形成され、その下端縁部が目庇本体２１１の内周縁部に一体に縫製されている。この場合、目庇２１の縁取り２１２には、リング状帯状体２２の柄模様と同一の柄模様の布が採用されている。さらに、リング状帯状体２２の前半部外面には、留め具としての複数個のボタン２４が周方向に設定間隔をおいて取り付けられている。
【００１４】
クラウン部３は、略半球状のクラウン本体３１と、該クラウン本体３１の後半部にわたって一体に縫製された方形の日除け垂れ３２と、からなり、いずれもリング状帯状体２２の柄模様と同一の柄模様の布から形成されている。そして、クラウン本体３１の前半部下端縁部には、被留め具としての複数個のボタンホール３１ａが、ボタン２４の取付位置およびその取付間隔に対応して形成されている。
【００１５】
この場合、日除け垂れ３２としては、後頭部下部から首筋を越える部位を覆う縦寸法と、ほぼ両耳を覆う横寸法からなる大きさに形成されている。
【００１６】
次に、このように構成された帽子１の使用方法について説明する。
【００１７】
まず、日差しが強くないときには、サンバイザー２をそのまま使用する。すなわち、図２に示すように、リング状帯状体２２によって頭部の周囲を挟み込むように、サンバイザー２を被って装着すればよい。この場合、目に入る日差しを目庇２１によって抑えることができる。
【００１８】
一方、夏期などのように、日差しが強いときには、サンバイザー２に設けたボタン２４に、クラウン部３に形成されたボタンホール３１ａを順次装着し、サンバイザー２にクラウン部３を取り付けてキャップに形成した後、キャップを構成するサンバイザー２の目庇２１を把握してクラウン本体３１を頭部に被せ、リング状帯状体２２によって頭部の周囲を挟み込むように装着すればよい（図３参照）。この場合は、目に入る日差しを目庇２１によって抑えることができるとともに、後頭部への日差しを日除け垂れ３２によって遮ることができ、首筋の日焼けを防止することができる。また、サンバイザー２とクラウン部３を連結するボタン２４は、リング状帯状体２２の前半部外周面に設けられているため、クラウン部３を取り付けてキャップとして被った場合でも、頭髪とボタン２４およびボタンホール３１ａが干渉することはなく、頭髪が絡むなどの不快感を覚えることがない。
【図面の簡単な説明】
【００１９】
【図１】本考案の帽子を構成するサンバイザーおよびクラウン部を示す斜視図である。
【図２】本考案の帽子をサンバイザーとして使用する場合を示す説明図である。
【図３】本考案の帽子をキャップとして使用する場合を示す説明図である。
【符号の説明】
【００２０】
１  帽子
２  サンバイザー
２１  目庇
２２  リング状帯状体
２４  ボタン（留め具）
３  クラウン部
３１  クラウン本体
３１ａ  ボタンホール（被留め具）
３２  日除け垂れ
【図１】
0003109597.tif 000003
【図２】
0003109597.tif 000004
【図３】
0003109597.tif 000005